(57)【要約】【課題】二者間の無線通信においてその際の照合レベルを低下させず、無線通信の耐ノイズ性を向上することができる無線通信データ処理システム及び無線通信データ処理方法を提供する。【解決手段】ワイヤレスキーでロックボタンやアンロックボタンが操作されると、このボタン操作を検出したワイヤレスキーは、１つのフレーム１３が複数のコード１４〜１６から成るとともにこのフレーム１３が複数並ぶ施解錠要求信号Ｓを発信する。この施解錠要求信号Ｓを受信した車両は、それぞれのコード１４〜１６が複数フレーム１３ａ〜１３ｃのいずれかのフレームでデータ判定が成立すれば、これを以て施解錠要求信号Ｓのデータ照合を成立とみなし、ワイヤレス通信を成立させる。【選択図】図２
2008127893.tif 000002
【特許請求の範囲】
【請求項１】
発信側である第１通信機が受信側の第２通信機と無線通信を行う際、前記第１通信機は通信データを複数のフレームから成る信号として発信し、その複数フレームに各々含まれる複数の単位データが信号送り先との間で各々正規であるか否かを見るデータ判定を行うことにより、前記通信データのデータ照合の成立可否を判定する無線通信データ処理システムにおいて、
前記フレーム内の各々の前記単位データが前記複数フレームのいずれかで正規であれば、前記データ照合を成立とみなして前記無線通信を成立として判定することを特徴とする無線通信データ処理システム。
【請求項２】
前記第１通信機は、前記通信データを前記第２通信機に発信する際、複数ある前記単位データの各々の先頭位置に、当該先頭位置の以下に続くデータ内容を表す先頭情報を各々付与して信号発信を行うとともに、
前記第２通信機は、前記第１通信機から前記通信データを受信して当該通信データ内の前記単位データをデータ判定するに際し、前記先頭情報を読み取ることにより、当該先頭情報以降に続く前記単位データが各々何であるかを逐次識別することを特徴とする請求項１に記載の無線通信データ処理システム。
【請求項３】
前記先頭情報は、１ビット信号の周期を各々異ならせたデータであることを特徴とする請求項２に記載の無線通信データ処理システム。
【請求項４】
前記先頭情報は、０及び１の２値的情報を組み合わせたデータであることを特徴とする請求項２に記載の無線通信データ処理システム。
【請求項５】
前記第２通信機は、前記第１通信機から前記通信データを受信して当該通信データ内の各単位データをデータ判定するに際し、前記先頭情報が正しくても、当該先頭情報に続く前記単位データがそのフォーマットは正しいもののデータ値自体が正しくない場合は、当該単位データが含まれる前記フレーム内の全ての単位データを判定不一致として取り扱うことを特徴とする請求項２〜４のうちいずれか一項に記載の無線通信データ処理システム。
【請求項６】
前記第１通信機は扉施解錠キーであって前記通信データとして扉施解錠要求を発信し、前記第２通信機は当該扉施解錠要求を受信すると、該扉施解錠要求に含まれる前記単位データが正規か否かのデータ判定を行い、当該データ判定が成立すれば扉を施解錠させることを特徴とする請求項１〜５のうちいずれか一項に記載の無線通信データ処理システム。
【請求項７】
発信側である第１通信機が受信側の第２通信機と無線通信を行う際、前記第１通信機は通信データを複数のフレームから成る信号として発信し、その複数フレームに各々含まれる複数の単位データが信号送り先との間で各々正規であるか否かを見るデータ判定を行うことにより、前記通信データのデータ照合の成立可否を判定する無線通信データ処理方法において、
前記フレーム内の各々の前記単位データが前記複数フレームのいずれかで正規であれば、前記データ判定を成立とみなして前記無線通信を成立として判定することを特徴とする無線通信データ処理方法。
【発明の詳細な説明】
【技術分野】
【０００１】
本発明は、二者間の無線通信時にその無線通信成立可否を判定する無線通信データ処理システム及び無線通信データ処理方法に関する。
【背景技術】
【０００２】
従来、多くの車両には、ワイヤレスキーのスイッチ操作によりワイヤレスキーから施錠要求や解錠要求を発信して無線通信で車両ドアの施解錠操作を行うワイヤレスキーシステムが搭載されている。ワイヤレスキーシステムの一例は、例えば特許文献１等に開示されている。車両にワイヤレスキーシステムを搭載すれば、車両ドアの施解錠を行うに際しては、メカニカルキーを車両ドアの鍵穴に挿し込んで回す実際のキー操作が不要になり、ドア施解錠操作の利便性が高くなる。
【０００３】
この種のワイヤレスキーシステムにおいては、ワイヤレスキーのロックボタン又はアンロックボタンが１回操作されると、図７に示すようにワイヤレスキーからは施解錠要求信号８１として同じデータ内容のフレーム８２が複数（図７は第１フレーム８２ａ〜第３フレーム８２ｃの３つ）発信される。なお、施錠スイッチが操作された際は施解錠要求信号８１として施錠要求信号が発信され、解錠スイッチが操作された際は施解錠要求信号８１として解錠要求信号が発信される。このように、１回のボタン操作で複数フレーム８２ａ，８２ｂ…を発信するのは、施解錠要求の受信側である車両は一定間隔をおいて立ち上がってワイヤレスキーからの信号受信を行うが、このときの立ち上がり間隔は１フレームのデータ受信に必要な時間よりも長いので、仮に起動立ち下がり時にワイヤレスキーから施解錠要求が発信されると、施解錠要求が１フレームだけだと車両はこの施解錠要求を正確に受信できないことになるので、施解錠要求を３フレーム分発信することにより、ワイヤレスキーから車両へ施解錠要求を無線発信する際の通信エラーを生じ難くする理由からである。
【０００４】
これら各フレーム８２ａ，８２ｂ…の１つひとつは、図７に示すようにフレームスタートビット、ＩＤコード、ローリングコード及び機能コードから成る。フレームスタートビットは、データ先頭に位置してフレームの始まりを表すデータ列であり、ＩＤコードは、ワイヤレスキーが個々に持つキー固有のデータ列である。ローリングコードは、ワイヤレスキーのロックボタンやアンロックボタンを１回操作する度にコードが変わるデータ列であり、機能コードは、そのフレームが施錠及び解錠のどちらであるかを表すデータ列である。
【０００５】
そして、ワイヤレスキーから施解錠要求信号８１を受信した車両は、フレーム８２ａ，８２ｂ…の中のデータ列を読み取りつつ、ＩＤコード及びローリングコードについては車両側に登録されたコード列との間で認証を行うことにより、この時にワイヤレスキーから取得した施解錠要求信号８１が正しいか否かのデータ照合を行う。このとき、車両は同一フレーム内で全てのコードが正確に読み取れつつＩＤコード及びローリングコードの認証が成立することを条件に、即ち図８に示すように複数フレーム８２ａ，８２ｂ…のうちいずれかのフレーム内で全てのコードが正しいことを条件にデータ照合が成立したとみなしてワイヤレス通信を成立させ、その時に受信した施解錠要求信号８１に含まれる機能コードに基づく処理を行う。
【特許文献１】特開平１０−２９９３１２号公報
【発明の開示】
【発明が解決しようとする課題】
【０００６】
背景技術で述べたように、１つのフレーム８２内で全てのコードが正しくなければデータ照合成立とみなさない場合、このようにデータ照合成立条件が厳しいと、例えば一時的な外乱により、１つのフレーム８２内において２つのコードは成立するものの１つのコードのみが成立しないことを以て、ワイヤレス通信が成立しないことになってしまう。従って、この場合は外乱を原因とするノイズ等に対して通信が弱いという欠点があることから、ワイヤレス通信の耐ノイズ性を向上したい要望があった。なお、耐ノイズ性を向上するにあたって、一方でワイヤレスキーと車両との間の照合レベルが低下することは望ましくないので、耐ノイズ性向上と高い照合レベル確保とを両立させる必要もある。
【０００７】
本発明の目的は、二者間の無線通信においてその際の照合レベルを低下させず、無線通信の耐ノイズ性を向上することができる無線通信データ処理システム及び無線通信データ処理方法を提供することにある。
【課題を解決するための手段】
【０００８】
前記問題点を解決するために、本発明では、発信側である第１通信機が受信側の第２通信機と無線通信を行う際、前記第１通信機は通信データを複数のフレームから成る信号として発信し、その複数フレームに各々含まれる複数の単位データが信号送り先との間で各々正規であるか否かを見るデータ判定を行うことにより、前記通信データのデータ照合の成立可否を判定する無線通信データ処理システムにおいて、前記フレーム内の各々の前記単位データが前記複数フレームのいずれかで正規であれば、前記データ照合を成立とみなして前記無線通信を成立として判定することを要旨とする。
【０００９】
この構成によれば、第１通信機が第２通信機に通信データを無線通信で発信する際は、各々データ内容が異なる複数の単位データから成るフレームが複数フレームで発信される。このとき、フレームに含まれる各単位コードが第１通信機と第２通信機との間で正規となるか否かのデータ判定が行われることにより、第１通信機が発信した通信データが正しいか否かのデータ照合が行われるが、この構成においては単位データが複数フレームのうちのいずれかのフレームで正規であればデータ照合成立とみなされ、第１通信機と第２通信機との間の無線通信が成立する状態となる。
【００１０】
このため、例えば一時的な外乱により無線通信にノイズが生じて同一フレームの全ての単位データが正規としてデータ判定されなくても、各単位データがいずれかのフレームで正規であれば、本構成ではそれを以てデータ照合が成立したとみなされ、第１通信機が第２通信機に通信データを発信した際の無線通信が成立することになる。よって、一時的に外乱により無線通信にノイズが生じても、第１通信機が第２通信機に通信データを発信する際に無線通信成立頻度が高くなり、第１通信機が第２通信機との間でノイズに対して強い無線通信を行うことが可能となる。
【００１１】
また、本構成のデータ照合形式を用いたとしても、フレーム内の単位データは複数のフレームに亘るが全てデータ判定が成立することを以て、これがデータ照合成立条件となっている。このため、データ照合が成立するにあたっては単位データの全てが正規のものと判定されているので、データ照合レベルも確保される。以上により、第１通信機が第２通信機に通信データを発信することで行われる二者間の無線通信において、その際の照合レベルを低下させず、無線通信の耐ノイズ性を向上することが可能となる。
【００１２】
本発明では、前記第１通信機は、前記通信データを前記第２通信機に発信する際、複数ある前記単位データの各々の先頭位置に、当該先頭位置の以下に続くデータ内容を表す先頭情報を各々付与して信号発信を行うとともに、前記第２通信機は、前記第１通信機から前記通信データを受信して当該通信データ内の前記単位データをデータ判定するに際し、前記先頭情報を読み取ることにより、当該先頭情報以降に続く前記単位データが各々何であるかを逐次識別することを要旨とする。
【００１３】
この構成によれば、第２通信機が第１通信機から受信した通信データを読み取る際に、例えばノイズ発生等が原因でその単位データを途中から読み出すことになっても、その後に続く先頭情報を見れば、その先頭情報に続く単位データが何であるかを識別することが可能となる。このため、各単位データを正確に読み出せる確率が高くなり、このことも無線通信時における耐ノイズ性向上に効果が高い。
【００１４】
本発明では、前記先頭情報は、１ビット信号の周期を各々異ならせたデータであることを要旨とする。
この構成によれば、例えば先頭情報として「０」及び「１」の２値的情報の組み合わせを用いると、単位データはこれら２値的情報で構成されていることから、場合によっては単位データを読み取っている最中に、その中の２値組み合わせを先頭情報として読み取ってしまう可能性も否定できない。よって、この状況を回避するには、先頭情報の「０」及び「１」の信号組み合わせが単位データに含まれない組み合わせとする必要が生じ、この設定作業が面倒である。しかし、本構成のように先頭情報として１ビット信号の周期を各々異ならせたデータを用いれば、「０」及び「１」の面倒な信号組み合わせ設定が必要とならず、この点において利点が高い。
【００１５】
本発明では、前記先頭情報は、０及び１の２値的情報を組み合わせたデータであることを要旨とする。
この構成によれば、各単位データは「０」及び「１」の２値的情報から成るデータ群であることが一般的であるので、先頭情報が「０」及び「１」の２値的情報の組み合わせから成るデータであれば、先頭情報と各単位データとが同じフォーマットとなる。よって、第１通信機と第２通信機との間の無線通信を、高受信感度の無線通信とすることが可能となる。
【００１６】
本発明では、前記第２通信機は、前記第１通信機から前記通信データを受信して当該通信データ内の各単位データをデータ判定するに際し、前記先頭情報が正しくても、当該先頭情報に続く前記単位データがそのフォーマットは正しいもののデータ値自体が正しくない場合は、当該単位データが含まれる前記フレーム内の全ての単位データを判定不一致として取り扱うことを要旨とする。
【００１７】
この構成によれば、第２通信機に外部から間違った単位データが送信されてくる時は、第三者が車両盗難を試みている可能性も否定できないが、本構成のように先頭情報が正しくてもそれに続く単位データがフォーマットは正しくてもデータ値自体が正しくない場合はそのフレームに含まれる単位データを全て正規のものでないと判定するようにすれば、この時のデータ照合は不成立となることから、車両盗難の防犯性を高くすることが可能となる。
【００１８】
本発明では、前記第１通信機は扉施解錠キーであって前記通信データとして扉施解錠要求を発信し、前記第２通信機は当該扉施解錠要求を受信すると、該扉施解錠要求に含まれる前記単位データが正規か否かのデータ判定を行い、当該データ判定が成立すれば扉を施解錠させることを要旨とする。
【００１９】
この構成によれば、本構成の無線通信データ処理システムは扉施解錠機構に採用されるので、第１発信機を用いて無線により扉施解錠を行う際に、その時の無線通信をノイズに強い通信とすることが可能となる。
【００２０】
本発明では、発信側である第１通信機が受信側の第２通信機と無線通信を行う際、前記第１通信機は通信データを複数のフレームから成る信号として発信し、その複数フレームに各々含まれる複数の単位データが信号送り先との間で各々正規であるか否かを見るデータ判定を行うことにより、前記通信データのデータ照合の成立可否を判定する無線通信データ処理方法において、前記フレーム内の各々の前記単位データが前記複数フレームのいずれかで正規であれば、前記データ判定を成立とみなして前記無線通信を成立として判定することを要旨とする。
【発明の効果】
【００２１】
本発明によれば、二者間の無線通信においてその際の照合レベルを低下させず、無線通信の耐ノイズ性を向上することができる。
【発明を実施するための最良の形態】
【００２２】
以下、本発明を具体化した無線通信データ処理システム及び無線通信データ処理方法の一実施形態を図１〜図５に従って説明する。
図１に示すように、車両１には、ワイヤレスキー２のボタン操作で車両１に無線で施解錠要求信号Ｓを発信してドアの施解錠を行うワイヤレスキーシステム３が搭載されている。このワイヤレスキーシステム３は、ワイヤレスキー２のロックボタン４が操作されるとワイヤレスキー２が施錠要求信号Ｓａを発信し、車両ドアが解錠状態であれば、車両１がその施錠要求信号Ｓａに応答してドアロックを施錠し、ワイヤレスキー２のアンロックボタン５が操作されるとワイヤレスキー２が解錠要求信号Ｓｂを発信し、車両ドアが施錠状態であれば、車両１がその解錠要求信号Ｓｂに応答してドアロックを解錠するシステムである。なお、ワイヤレスキー２が第１通信機（扉施解錠キー）に相当し、施解錠要求信号Ｓが通信データに相当する。
【００２３】
ワイヤレスキー２には、キー側の通信系コントロールユニットとして通信制御ユニット６が設けられている。通信制御ユニット６には、施解錠要求信号Ｓ等の各種信号をＲＦ帯の信号で発信する発信回路７が接続されている。通信制御ユニット６は、ロックボタン４が操作された事を検出すると、発信回路７を介してＲＦ帯の施錠要求信号Ｓａを発信し、アンロックボタン５が操作された事を検出すると、発信回路７を介してＲＦ帯の解錠要求信号Ｓｂを発信する。
【００２４】
車両１には、ワイヤレスキーシステム３の照合系コントロールユニットとして照合ＥＣＵ８が設けられている。照合ＥＣＵ８には、ＲＦ帯の各種信号を受信可能な受信機９が接続されている。また、照合ＥＣＵ８には、ドアロック系コントロールユニットとしてドアＥＣＵ１０が車内ＬＡＮ１１を通じて接続されている。なお、照合ＥＣＵ８及び受信機９が第２通信機を構成する。
【００２５】
照合ＥＣＵ８は、ワイヤレスキー２が発信した施解錠要求信号Ｓを受信機９を介して受信すると、その施解錠要求信号Ｓに含まれるキー固有の各種識別コードが、車両１側に登録されたそれらと一致するかを見て正しいか否かを判断し、この時の正否判断が正しければ、ワイヤレスキー２と車両１との間のデータ照合が成立したとみなし、ドアＥＣＵ１０に施解錠許可を出力する。照合ＥＣＵ８は、ワイヤレスキー２から正規の施錠要求信号Ｓａを受けると施錠許可を、ワイヤレスキー２から正規の解錠要求信号Ｓｂを受けると解錠許可をドアＥＣＵ１０に出力する。ドアＥＣＵ１０は、照合ＥＣＵ８から施錠許可を受けると、ドアロックモータ１２を例えば正転駆動してドアロックを施錠し、一方で照合ＥＣＵ８から解錠許可を受けると、ドアロックモータ１２を例えば逆転駆動してドアロックを解錠する。
【００２６】
ワイヤレスキー２の通信制御ユニット６は、車両１への施解錠要求信号発信時、図２に示すように１つのフレーム１３が複数コードから成り、しかもこのフレーム１３が複数存在する施解錠要求信号Ｓ（施錠要求信号Ｓａ又は解錠要求信号Ｓｂ）を発信する。本例の施解錠要求信号Ｓは、第１フレーム１３ａ、第２フレーム１３ｂ及び第３フレーム１３ｃの３フレームから成るが、フレーム１３が複数から成る理由は背景技術で述べているので、ここでは敢えて説明しない。
【００２７】
また、これら各フレーム１３ａ，１３ｂ…の１つひとつは、背景技術で述べた例と同じく、ＩＤコード１４、ローリングコード１５及び機能コード１６から成る。これらコード１４〜１６は、各フレーム１３ａ〜１３ｃにおいて同じ内容のデータ列であり、２値的な情報である「０」及び「１」の組み合わせから成る。ＩＤコード１４は、ワイヤレスキー２が個々に持つキー固有のデータ列であり、ローリングコード１５は、ワイヤレスキー２のロックボタン４やアンロックボタン５を１回操作する度にコードが変わるデータ列である。機能コード１６は、その時の施解錠要求信号Ｓが施錠要求及び解錠要求のどちらであるかを表すデータ列であり、施解錠要求信号Ｓが施錠要求信号Ｓａの場合、これが施錠要求通知を成し、施解錠要求信号Ｓが解錠要求信号Ｓｂの場合、これが解錠要求通知を成す。なお、各種コード１４〜１６が単位データに相当する。
【００２８】
各コード１４〜１６の先頭位置には、それぞれのコードの先頭を表す先頭ビット１７が設けられている。本例の先頭ビット１７は、コード数に合わせて３つ設けられ、ＩＤコード１４の先頭に位置するＩＤコード先頭ビット１７ａと、ローリングコード１５の先頭に位置するローリングコード先頭ビット１７ｂと、機能コード１６の先頭に位置する機能コード先頭ビット１７ｃとから成る。ＩＤコード先頭ビット１７ａは、以降に続くデータ列がＩＤコード１４で事を表すビット群であり、ローリングコード先頭ビット１７ｂは、以降に続くデータ列がローリングコード１５である事を表すビット群であり、機能コード先頭ビット１７ｃは、以降に続くデータ列が機能コード１６である事を表すビット群である。先頭ビット１７は、施解錠要求信号Ｓの読み取りが仮にコード途中で行われても、この先頭ビットデータを読み取れば、その後に続くコード内容について識別することが可能となる役目を担う。
【００２９】
図３に示すように、先頭ビット１７ａ〜１７ｃは、各コード１４〜１６を構成する「０」及び「１」とは異なるフォーマットで構成され、本例においては１ビット信号の周期を異なる値とすることでこれが実現されている。例えば、図３に示すように周期がＴａでその時のＨレベル期間がＴｂの信号を２値的情報の「０」とし、周期がＴａでその周期全期間を通して信号レベルがＨレベルの信号を２値的情報の「１」とした場合、本例の先頭ビット１７ａ〜１７ｃは、Ｈレベル期間が「０」値と同じく全てＴｂで、周期については各コード１４〜１６毎に異なった値で設定されている。本例においては、ＩＤコード先頭ビット１７ａの周期がＴｃ（＞Ｔａ）に設定され、ローリングコード先頭ビット１７ｂの周期がＴｄ（＞Ｔｃ）に設定され、機能コード先頭ビット１７ｃの周期がＴｅ（＞Ｔｄ）に設定されている。なお、先頭ビット１７が先頭情報に相当する。
【００３０】
車両１が受信機９でワイヤレスキー２からの施解錠要求信号Ｓを受信した際、照合ＥＣＵ８は施解錠要求信号Ｓのデータ照合を行うが、この時のデータ照合としては、施解錠要求信号Ｓに含まれるＩＤコード１４及びローリングコード１５について車両側のものと一致するかの否かの認証を行い、機能コード１６についてはそれが正確に読み取れるか否かの処理を行う。このとき、本例の照合ＥＣＵ８は、図４に示すようにＩＤコード１４、ローリングコード１５及び機能コード１６の各コードが第１フレーム１３ａ〜第３フレーム１３ｃのうちいずれかのフレームで正規のものとデータ判定されれば、データ照合が成立したとみなし、ドアロックの施解錠を許可する。
【００３１】
次に、本例のワイヤレスキーシステム３の動作を説明する。
車両ドアロックを施解錠すべくワイヤレスキー２のロックボタン４又はアンロックボタン５がキー所持者により操作されると、ワイヤレスキー２からはドアロック施解錠要求として施解錠要求信号Ｓが無線通信で発信される。この時の施解錠要求信号Ｓは、ＩＤコードの先頭位置にＩＤコード先頭ビット１７ａが、ローリングコードの先頭位置にローリングコード先頭ビット１７ｂが、機能コード１６の先頭位置に機能コード先頭ビット１７ｃが各々付随した信号で発信される。
【００３２】
この施解錠要求信号Ｓを車両１が受信機９で受信すると、照合ＥＣＵ８は受信した施解錠要求信号Ｓについてデータ照合を行うが、本例においてはそれぞれのコード１４〜１６がフレーム１３ａ〜１３ｃのいずれかで正規のものであると判定されれば、それをデータ照合成立とみなす。照合ＥＣＵ８は、施解錠要求信号Ｓの受信時にそのデータ照合成立を認識すると、ワイヤレスキー２との間のワイヤレス通信が成立したと判定し、ドアＥＣＵ１０に施解錠許可を送ってドアロックを施解錠させる。
【００３３】
ここで、ワイヤレス通信時の周囲の電波状態が悪い場合、この時の外乱等が原因でワイヤレス通信にノイズが発生し、例えば各コード１４〜１６においてフォーマットが異常値を取るなどしてコード１４〜１６が正規の値を取らないことがある。このとき、１つのフレーム内で全てのコード１４〜１６が正規とみなされず、例えばＩＤコードが第１フレーム１３ａでのみ、ローリングコードが第２フレーム１３ｂでのみ、機能コードが第３フレーム１３ｃでのみ正規であると判定される状況になる場合がある。しかし、本例の照合ＥＣＵ８は、データ照合時においてそれぞれのコード１４〜１６がフレーム１３ａ〜１３ｃのいずれかで正規のものであると判定されれば、それをデータ照合成立とみなしている。従って、照合ＥＣＵ８は、ＩＤコードが第１フレーム１３ａでのみ、ローリングコードが第２フレーム１３ｂでのみ、機能コードが第３フレーム１３ｃでのみ正規であっても、これをデータ照合成立として処理し、ドアロックの施解錠を実行させる。
【００３４】
従って、本例においては、ワイヤレス通信のデータ照合時、外乱によるノイズ等でコード１４〜１６の正規判定が１フレーム内の全て成立していなくても、それぞれのコード１４〜１６が３つのフレーム１３ａ〜１３ｃのうちいずれかで正規のものと判定されれば、この時のデータ照合は成立と見なされる。このため、仮に電波状況の悪い場所でワイヤレス通信を行っても、この時のワイヤレス通信が成立し易くなり、耐ノイズ性を向上することが可能となる。この場合は、３つのフレーム１３ａ〜１３ｃをまたいではいるものの、３つのコード１４〜１６の全てが正規であることをデータ照合成立の条件としているので、データ照合の照合レベルも確保される。
【００３５】
また、ワイヤレス通信時に照合ＥＣＵ８が施解錠要求信号Ｓを受信する際、外乱によるノイズ等で照合ＥＣＵ８は施解錠要求信号Ｓをフレーム先頭位置からでなく、各コード１４〜１６の途中で受信する場合も考えられる。そこで、本例においては、施解錠要求信号Ｓの各コード１４〜１６の先頭位置に、各々対応する先頭ビット１７ａ〜１７ｃを設けているので、施解錠要求信号Ｓをコード途中で受信したとしても、その途中コードは読み取れないが、その後に続く先頭ビット１７を読み取ることにより、その先頭ビット１７に続くコードが何であるかを識別可能となり、途中受信した後のコードを読み取れることになり、この事も耐ノイズ性向上に効果が高い。
【００３６】
更に、本例の先頭ビット１７ａ〜１７ｃは、１ビット信号の周期を各々異なるように設定した識別情報に限定されない。これら先頭ビット１７ａ〜１７ｃは、図５に示すように「０」及び「１」の２値的情報を組み合わせた識別データでもよい。ところで、１ビット信号の周期を各々異なるように設定した識別情報を先頭ビット１７ａ〜１７ｃとして用いた場合、ビット判別に際してはその周期（Ｔｃ〜Ｔｅ）を見ることになるので、先頭ビット１７ａ〜１７ｃのフォーマットと、その後に続く各コード１４〜１６のフォーマットとが異なってしまい、受信機９（チューナ）の特性上、高い受信感度を確保できないという懸念がある。しかし、先頭ビット１７ａ〜１７ｃに「０」及び「１」の組み合わせを用いれば、そのような問題は生じ難くなる。
【００３７】
但し、この場合は、各コード１４〜１６のデータ列に先頭ビット１７の「０」及び「１」の組み合わせがあると、コード１４〜１６を読んでいる最中にその組み合わせを先頭ビット１７ａ〜１７ｃとして識別してしまうことになる。この状況を回避するには、照合ＥＣＵ８が施解錠要求信号Ｓを読み取る際にコード１４〜１６と先頭ビット１７ａ〜１７ｃとを識別するソフト的な特別な処理が必要となり、データ照合処理が複雑化してしまうことに繋がり、この状況が生じないように先頭ビット１７の「０」及び「１」の組み合わせ順は注意してその順序を設定する必要がある。逆に、先頭ビット１７ａ〜１７ｃとして「０」及び「１」とは異なるフォーマットを用いれば、この種の問題は生じないことから、この点においては有益である。
【００３８】
本実施形態の構成によれば、以下に記載の効果を得ることができる。
（１）ワイヤレスキー２がボタン操作により施解錠要求信号Ｓを発信して車両１とワイヤレス通信する際、施解錠要求信号Ｓに含まれる各コード１４〜１６がフレーム１３ａ〜１３ｃのいずれかで正規のものとデータ判定されれば、施解錠要求信号Ｓのデータ照合が成立したものとみなし、ワイヤレス通信を確立させてドアの施解錠を行う。従って、例えば一時的な外乱によりワイヤレス通信にノイズが生じても、その時の通信成立頻度が高くなり、ワイヤレス通信をノイズに対して強い通信とすることができる。また、このデータ照合形式では、各コード１４〜１６の成立可否判定は複数フレーム１３ａ〜１３ｃに亘るが全ての判定成立をデータ照合成立条件とするので、充分なデータ照合レベルも確保することができる。
【００３９】
（２）施解錠要求信号Ｓの各コード１４〜１６の先頭位置に、後に続くコード内容を通知する先頭ビット１７ａ〜１７ｃを追加した。このため、例えば照合ＥＣＵ８が受信した施解錠要求信号Ｓを読み取る際に、例えば通信ノイズ発生等が原因でコード途中から施解錠要求信号Ｓを読み取ることになっても、その後に続く先頭ビット１７ａ〜１７ｃを見ることにより、その先頭ビット１７に続くコードが何であるかを識別することができる。これにより、施解錠要求信号Ｓの各コード１４〜１６を正確に読み出せる確率が高くなり、このこともワイヤレス通信時における耐ノイズ性向上に効果が高い。
【００４０】
（３）各コード１４〜１６はこれら「０」及び「１」の信号組み合わせで構成されていることから、先頭ビット１７ａ〜１７ｃとして「０」及び「１」の２値的情報を用いた場合、状況によっては照合ＥＣＵ８がコード１４〜１６を読み取っている最中に、その中の２値組み合わせを先頭ビット１７として読み取ってしまう状況になる可能性も否定できない。この場合は、先頭ビット１７ａ〜１７ｃの「０」及び「１」の信号組み合わせをコード１４〜１６に含まれない２値組み合わせとする必要が生じ、この設定作業が面倒である。しかし、先頭ビット１７ａ〜１７ｃとして１ビット信号の周期を異ならせる構成を用いれば、このような面倒な信号組み合わせ設定が不要となり、この点において効果が高い。
【００４１】
（４）先頭ビット１７ａ〜１７ｃとして「０」及び「１」の２値的情報の組み合わせを用いた場合、先頭ビット１７ａ〜１７ｃのフォーマットと、その後に続く各コード１４〜１６のフォーマットとが同じであることから、受信機９（チューナ）の特性上、この時の通信を高受信感度のワイヤレス通信とすることができる。
【００４２】
（５）照合ＥＣＵ８がワイヤレス通信でワイヤレスキー２から間違ったコード１４〜１６を含む施解錠要求信号Ｓを受け取った時は、第三者が車両盗難を試みて車両１に不正操作を働いている可能性も否定できない。そこで、本例においては照合ＥＣＵ８が施解錠要求信号Ｓを取得した際、仮に先頭ビット１７ａ〜１７ｃが正しくても、それに続くコード１４〜１６がそのフォーマットは正しいもののデータ値自体が正しくない場合はそのフレーム１３に含まれる全てのコード１４〜１６を正規のものでないと判断する。よって、この場合はワイヤレス通信時のデータ照合が不成立となることから、車両盗難に対する防犯性を高くすることができる。
【００４３】
なお、本実施形態はこれまでの構成に限定されず、以下の態様に変更してもよい。
・  先頭ビット１７ａ〜１７ｃが、「０」及び「１」の２値的情報と異なるフォーマットで構成される場合、これは１ビット信号の周期が各々異なる値で構成されることに限定されない。例えば、図６に示すように、先頭ビット１７ａ〜１７ｃは、周期がこれらビット間で同じで、信号のＨレベルとなる期間が各々異なる値でもよい。例えば、図６に示す例では、先頭ビット１７ａ〜１７ｃは周期が全て同じＴｃをとり、ＩＤコード先頭ビット１７ａのＨレベル期間がＴｆ（＞Ｔｂ）、ローリングコード先頭ビット１７ｂのＨレベル期間がＴｇ（＞Ｔｆ）、機能コード先頭ビット１７ｃのＨレベル期間がＴｈ（＞Ｔｇ）と設定されている。
【００４４】
・  ２機の通信機間で行う無線通信は、車両１及びワイヤレスキー２間のワイヤレス通信に限定されない。この時の無線通信は、例えば車両１がリクエストを発信し、そのリクエストに応答した電子キーが自身のＩＤコードを返信してＩＤ照合を行うスマート通信でもよい。また、この種の無線通信はワイヤレス通信やスマート通信に限らず、信号発信先に多フレームから成る通信データを発信するものであれば、その通信形態は特に限定されない。
【００４５】
・  ２機の通信機間で行う無線通信は、実施形態に記載のように電波通信を用いた場合、この周波数帯は通常広く用いられるＵＨＦ帯やＶＨＦ帯に限らず、適宜設定変更可能である。また、この無線通信は必ずしも電波通信に限らず、例えば赤外線通信等を用いてもよい。
【００４６】
・  １つの施解錠要求信号Ｓ内に含まれるフレーム１３の数は必ずしも３つに限定されず、例えばワイヤレスキー２のロックボタン４やアンロックボタン５が長押しされた際など、施解錠要求信号Ｓが多数のフレーム１３から成る構成でもよい。
【００４７】
・  １フレーム１３内に含まれるコード種類は、ＩＤコード１４、ローリングコード１５及び機能コード１６の３種に限らず、これ以外のコードを採用してもよい。
・  本例の無線通信データ処理システムの採用対象は、必ずしも車両１に限定されない。即ち、装置システムの構成要素として２機の通信機が存在し、これら通信機間で無線通信を行うものであれば、無線通信データ処理システムの通信対象は特に限定されない。
【図面の簡単な説明】
【００４８】
【図１】一実施形態におけるワイヤレスキーシステムの構成を示すブロック図。
【図２】ワイヤレスキーが発信する施解錠要求信号のデータ図。
【図３】各種先頭ビットのフレーム構成を説明するための波形図。
【図４】ワイヤレス通信の成立条件を説明するための例示図。
【図５】各種先頭ビットの他フレーム構成を説明するための２値的情報の組み合わせ図。
【図６】別例における各種先頭ビットのフレーム構成を説明するための波形図。
【図７】従来におけるワイヤレスキーが発信する施解錠要求信号のデータ図。
【図８】ワイヤレス通信の成立条件を説明するための例示図。
【符号の説明】
【００４９】
２…第１通信機としてのワイヤレスキー、８…第２通信機を構成する照合ＥＣＵ、９…第２通信機を構成する受信機、１３（１３ａ〜１３ｃ）…フレーム、１４〜１６…単位データとしての各種コード、１７（１７ａ〜１７ｃ）…先頭情報としての先頭ビット、Ｓ…通信データとしての施解錠要求信号。
【図１】
2008127893.tif 000003
【図２】
2008127893.tif 000004
【図３】
2008127893.tif 000005
【図４】
2008127893.tif 000006
【図５】
2008127893.tif 000007
【図６】
2008127893.tif 000008
【図７】
2008127893.tif 000009
【図８】
2008127893.tif 000010